(57)【要約】【課題】消費電力を抑えつつ、画像データを記録するのにかかる時間を短縮することができるようにする。【解決手段】記録再生装置１には、カメラモードが設定されているときの電力モードとして省電力モードと非省電力モードが用意されている。省電力モードは、ディスク２の回転数を、データを記録するときの回転数よりも低くなるように設定するとともに、光学ヘッドのフォーカスを外した状態にするモードである。非省電力モードは、ディスク２の回転数を、データを記録するときの回転数に設定するとともに、光学ヘッドのフォーカスをロックし、データを記録することができる状態にするモードである。ユーザがシャッタボタンを操作していないとき、省電力モードが設定され、ユーザがシャッタボタンを半押ししたとき、非省電力モードが設定される。本発明は、ディスクを記録媒体とする撮影装置に適用することができる。【選択図】図１
2006157768.tif 000002
【特許請求の範囲】
【請求項１】
シャッタボタンを半押しすることによりフォーカスが合わされ、半押しの状態から深押しすることにより撮影が行われるオートフォーカス機能が搭載された、ディスクを記録媒体とする撮影装置において、
シャッタボタンが半押しされたことを検出する検出手段と、
前記検出手段によりシャッタボタンが半押しされたことが検出されるまでの間、前記ディスクの状態を、撮影により得られた画像データを記録するときの回転数より低い回転数で回転する状態、または、回転を停止した状態とするように制御する制御手段と
を備えることを特徴とする撮影装置。
【請求項２】
前記制御手段は、前記ディスクの状態を、撮影により得られた画像データを記録するときの回転数で回転する状態としてから、シャッタボタンが半押しされたことが検出されることなく所定の時間が経過したとき、前記ディスクの状態を、撮影により得られた画像データを記録するときの回転数より低い回転数で回転する状態、または、回転を停止する状態とするように制御する
ことを特徴とする請求項１に記載の撮影装置。
【請求項３】
前記制御手段は、直前の撮影により得られた画像データを記録し終わったときの回転数を、画像データを記録するときの回転数より低い回転数として前記ディスクの状態を制御する
ことを特徴とする請求項１に記載の撮影装置。
【請求項４】
前記制御手段は、さらに、前記検出手段によりシャッタボタンが半押しされたことが検出されるまでの間、前記ディスクへのフォーカス制御をしない状態とするように、前記ディスクへのデータの記録を行うヘッドを制御する
ことを特徴とする請求項１に記載の撮影装置。
【請求項５】
シャッタボタンを半押しすることによりフォーカスが合わされ、半押しの状態から深押しすることにより撮影が行われるオートフォーカス機能が搭載された、ディスクを記録媒体とする撮影装置の撮影方法において、
シャッタボタンが半押しされたことを検出する検出ステップと、
前記検出ステップの処理によりシャッタボタンが半押しされたことが検出されるまでの間、前記ディスクの状態を、撮影により得られた画像データを記録するときの回転数より低い回転数で回転する状態、または、回転を停止した状態とするように制御する制御ステップと
を含むことを特徴とする撮影方法。
【請求項６】
シャッタボタンを半押しすることによりフォーカスが合わされ、半押しの状態から深押しすることにより撮影が行われるオートフォーカス機能が搭載された、ディスクを記録媒体とする撮影装置における撮影処理をコンピュータに実行させるプログラムであって、
シャッタボタンが半押しされたことを検出する検出ステップと、
前記検出ステップの処理によりシャッタボタンが半押しされたことが検出されるまでの間、前記ディスクの状態を、撮影により得られた画像データを記録するときの回転数より低い回転数で回転する状態、または、回転を停止した状態とするように制御する制御ステップと
を含むことを特徴とするプログラム。
【発明の詳細な説明】
【技術分野】
【０００１】
本発明は、撮影装置および方法、並びにプログラムに関し、特に、消費電力を抑えつつ、画像データを記録するのにかかる時間を短縮することができるようにする撮影装置および方法、並びにプログラムに関する。
【背景技術】
【０００２】
近年、Hi-MD（登録商標）規格のディスクのように、従来のMD(Mini Disk)規格のディスクと同じ大きさで、音楽データだけでなく、画像データなどの各種のデータをFAT(File Allocation Table)形式で記録させることができるような光磁気ディスクが普及してきている。このことから、Hi-MD規格のディスクなどの光磁気ディスクを記録媒体として用いるディジタルカメラなどが提案されている。
【発明の開示】
【発明が解決しようとする課題】
【０００３】
このようなディスクを記録媒体として用いるディジタルカメラの場合、撮影が行われてから、撮影により得られた画像データをディスクに記録するまでの時間を短縮するためには、ディスクの回転数を、常に、データの記録時の回転数に設定しておくことが効果的である。
【０００４】
すなわち、撮影が行われ、ディスクに記録する画像データが実際に得られてから、ディスクの回転数をデータの記録が可能な回転数に設定するものとすると、データの記録が可能な回転数になるまで画像データの記録を開始させることができず、画像データが得られてからそれを記録し終えるまでの時間が長くなってしまうことになる。
【０００５】
しかしながら、画像データを記録するのにかかる時間を短縮することを優先するため、ディスクの回転数を、常に、データの記録時の回転数に設定しておくものとすると、当然、データを記録していない間はディスクの回転数を低く設定したり、回転を停止させておく場合に較べて電力の消費が大きく、バッテリの容量が有限であることを考えると、これにより、連続撮影時間（１回の充電で撮影可能な時間）が短縮してしまうことになる。
【０００６】
本発明はこのような状況に鑑みてなされたものであり、消費電力を抑えつつ、画像データの記録にかかる時間を短縮することができるようにするものである。
【課題を解決するための手段】
【０００７】
本発明の撮影装置は、シャッタボタンを半押しすることによりフォーカスが合わされ、半押しの状態から深押しすることにより撮影が行われるオートフォーカス機能が搭載された、ディスクを記録媒体とする撮影装置であって、シャッタボタンが半押しされたことを検出する検出手段と、検出手段によりシャッタボタンが半押しされたことが検出されるまでの間、ディスクの状態を、撮影により得られた画像データを記録するときの回転数より低い回転数で回転する状態、または、回転を停止した状態とするように制御する制御手段とを備えることを特徴とする。
【０００８】
制御手段は、ディスクの状態を、撮影により得られた画像データを記録するときの回転数で回転する状態としてから、シャッタボタンが半押しされたことが検出されることなく所定の時間が経過したとき、ディスクの状態を、撮影により得られた画像データを記録するときの回転数より低い回転数で回転する状態、または、回転を停止する状態とするように制御するようにすることができる。
【０００９】
制御手段は、直前の撮影により得られた画像データを記録し終わったときの回転数を、画像データを記録するときの回転数より低い回転数としてディスクの状態を制御するようにすることができる。
【００１０】
制御手段は、さらに、検出手段によりシャッタボタンが半押しされたことが検出されるまでの間、ディスクへのフォーカス制御をしない状態とするように、ディスクへのデータの記録を行うヘッドを制御するようにすることができる。
【００１１】
本発明の撮影方法は、シャッタボタンを半押しすることによりフォーカスが合わされ、半押しの状態から深押しすることにより撮影が行われるオートフォーカス機能が搭載された、ディスクを記録媒体とする撮影装置の撮影方法であって、シャッタボタンが半押しされたことを検出する検出ステップと、検出ステップの処理によりシャッタボタンが半押しされたことが検出されるまでの間、ディスクの状態を、撮影により得られた画像データを記録するときの回転数より低い回転数で回転する状態、または、回転を停止した状態とするように制御する制御ステップとを含むことを特徴とする。
【００１２】
本発明のプログラムは、シャッタボタンを半押しすることによりフォーカスが合わされ、半押しの状態から深押しすることにより撮影が行われるオートフォーカス機能が搭載された、ディスクを記録媒体とする撮影装置における撮影処理をコンピュータに実行させるプログラムであって、シャッタボタンが半押しされたことを検出する検出ステップと、検出ステップの処理によりシャッタボタンが半押しされたことが検出されるまでの間、ディスクの状態を、撮影により得られた画像データを記録するときの回転数より低い回転数で回転する状態、または、回転を停止した状態とするように制御する制御ステップとを含むことを特徴とする。
【００１３】
本発明の撮影装置および方法、並びにプログラムにおいては、シャッタボタンが半押しされたことが検出されるまでの間、ディスクの状態が、撮影により得られた画像データを記録するときの回転数より低い回転数で回転する状態、または、回転を停止した状態とするように制御される。
【発明の効果】
【００１４】
本発明によれば、消費電力を抑えることができる。また、それを、画像データを記録するのにかかる時間を短縮しつつ実現することができる。
【発明を実施するための最良の形態】
【００１５】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１６】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００１７】
請求項１に記載の撮影装置は、シャッタボタンを半押しすることによりフォーカスが合わされ、半押しの状態から深押しすることにより撮影が行われるオートフォーカス機能が搭載された、ディスクを記録媒体とする撮影装置（例えば、図１の記録再生装置１）であって、シャッタボタンが半押しされたことを検出する検出手段（例えば、図１の操作部２２）と、前記検出手段によりシャッタボタンが半押しされたことが検出されるまでの間、前記ディスクの状態を、撮影により得られた画像データを記録するときの回転数より低い回転数で回転する状態、または、回転を停止した状態とするように制御する制御手段（例えば、図１の記録再生部２８）とを備えることを特徴とする。
【００１８】
請求項５に記載の撮影方法は、シャッタボタンを半押しすることによりフォーカスが合わされ、半押しの状態から深押しすることにより撮影が行われるオートフォーカス機能が搭載された、ディスクを記録媒体とする撮影装置（例えば、図１の記録再生装置１）の撮影方法であって、シャッタボタンが半押しされたことを検出する検出ステップ（例えば、図２のステップＳ３）と、前記検出ステップの処理によりシャッタボタンが半押しされたことが検出されるまでの間、前記ディスクの状態を、撮影により得られた画像データを記録するときの回転数より低い回転数で回転する状態、または、回転を停止した状態とするように制御する制御ステップ（例えば、図２のステップＳ５）とを含むことを特徴とする。
【００１９】
請求項６に記載のプログラムにおいても、各ステップが対応する実施の形態（但し一例）は、請求項５に記載の撮影方法と同様である。
【００２０】
以下、本発明の実施の形態について図を参照して説明する。
【００２１】
図１は、本発明を適用した記録再生装置１のハードウェア構成例を示すブロック図である。
【００２２】
記録再生装置１は、例えば、筐体に形成されたスロットに挿入されたディスク２に記録されている音楽データを再生したり、集音して得られた音声データをディスク２に記録するオーディオ機能と、撮影により得られた画像データをディスク２に記録するカメラ機能とを有するポータブル型のデバイスである。
【００２３】
ユーザは、記録再生装置１の筐体表面に設けられているスイッチなどを操作することによって、オーディオ機能を使うときのモードであるオーディオモードと、カメラ機能を使うときのモードであるカメラモードのうちからいずれかのモードを選択することができる。
【００２４】
ディスク２は、例えば、MD（登録商標）規格の光磁気ディスクや、MD規格のディスクと同じ大きさで、FAT形式でデータを記録させることができるHi-MD（登録商標）規格の光磁気ディスクである。ディスク２として、ハードディスクの他、読み書き可能なCD(Compact Disc)やDVD(Digital Versatile Disk)などの光ディスクが用いられるようにしてもよい。
【００２５】
図１に示すように、記録再生装置１は、メインブロック１１とカメラブロック１２から構成される。
【００２６】
メインブロック１１のメイン制御部２１は、CPU(Central Processing Unit)やRAM(Random Access Memory)などを内蔵しており、メインブロック１１の動作を制御する。また、メイン制御部２１は、シリアルバス５１を介してカメラブロック１２のカメラ用制御部６１を制御し、カメラブロック１２の動作をも制御する。
【００２７】
例えば、メイン制御部２１は、記録再生装置１のモードとしてオーディオモードが設定されているとき、操作部２２からの操作信号に応じてディスク２に記録されている音楽データを再生したり、音楽データをディスク２に記録させたりする。また、メイン制御部２１は、記録再生装置１のモードとしてカメラモードが設定されているとき、操作部２２からの操作信号に応じてディスク２に記録されている画像データを表示させたり、カメラブロック１２の各部を制御して撮影を行わせ、撮影により得られた画像データをディスク２に記録させたりする。
【００２８】
操作部２２は、モードの切り替えスイッチ、音楽データの再生、録音を指示するとき操作されるボタン、撮影を指示するとき操作されるシャッタボタン、撮影した画像を表示するとき操作されるボタンなどの各種のボタンに対するユーザの操作を受け付け、操作の内容を表す操作信号をメイン制御部２１に出力する。
【００２９】
USB I/F(Universal Serial Bus Interface)２３は、外部のPC(Personal Computer)とのインタフェースであり、メイン制御部２１による制御に従って、PCとの間でUSBケーブルを介してデータの送受信を行う。例えば、外部のPCからUSB I/F２３に対しては、音楽データの他、各種のデータが送信されてくる（ダウンロードされる）。USB I/F２３により受信されたデータは、メイン制御部２１や記録再生部２８に供給される。また、USB I/F２３から外部のPCに対しては、ディスク２から読み出され、記録再生部２８から供給されてきた音楽データや画像データなどが送信される（アップロードされる）。
【００３０】
オーディオ信号処理部２４は、マイク２７により集音され、オーディオ入出力部２５から供給されてきた音楽データに対して、例えば、1-7RLL(1-7 Run-Length Limited coding)変調処理などを行い、得られたデータを記録再生部２８に出力する。また、オーディオ信号処理部２４は、ディスク２から読み出され、記録再生部２８から供給されてきた音楽データに対して1-7RLL復調処理などを行い、得られたデータをオーディオ入出力部２５に出力する。
【００３１】
オーディオ入出力部２５は、オーディオ信号処理部２４から供給されてきた音楽データに対応する音声をスピーカ２６から出力させる。また、オーディオ入出力部２５は、マイク２７により集音された音声を表す音楽データをオーディオ信号処理部２４に出力する。  
【００３２】
記録再生部２８は、読み書き（再生、記録）するデータの量に応じてバッファ２９を適宜用い、ディスク２に記録されているデータの読み出し、ディスク２に対するデータの記録を行う。例えば、記録再生部２８は、ディスク２から読み出した音楽データをオーディオ信号処理部２４に出力したり、オーディオ信号処理部２４やUSB I/F２３から供給されてきた音楽データをディスク２に記録させる。また、記録再生部２８は、ディスク２から読み出した画像データをメイン制御部２１やUSB I/F２３に出力したり、メイン制御部２１やUSB I/F２３から供給されてきた画像データをディスク２に記録させる。
【００３３】
NVRAM(Non Volatile RAM)３０は不揮発性のメモリであり、メイン制御部２１が処理する各種のデータを記憶する。
【００３４】
カメラブロック１２のカメラ用制御部６１は、メインブロック１１のメイン制御部２１とシリアルバス５１を介して接続され、メイン制御部２１による制御に従ってカメラブロック１２の各部を制御する。
【００３５】
例えば、カメラ用制御部６１は、撮影部６２を制御して撮影を行い、撮影により得られた画像データをJPEG(Joint Photographic Experts Group)方式で圧縮して、圧縮後のデータをメイン制御部２１に出力する。メイン制御部２１に出力された画像データは、例えば、記録再生部２８に供給され、ディスク２に記録される。
【００３６】
また、カメラ用制御部６１は、ディスク２から読み出された画像データがメイン制御部２１から供給されてきたとき、供給されてきた画像データに基づいて表示部６４に画像を表示させる。
【００３７】
撮影部６２は、CMOS(Complementary Mental Oxide Semiconductor)やCCD(Charge Coupled Device)などの撮像素子よりなり、カメラ用制御部６１による制御に従って撮影を行い、撮影により得られた画像データをカメラ用制御部６１に出力する。
【００３８】
この撮影部６２は、オートフォーカス機能を実現する構成を有している。従って、ユーザによりシャッタボタンが半押しされたことが操作部２２により検出され、そのことが、メイン制御部２１からカメラ用制御部６１に通知されたとき、カメラ用制御部６１による制御に従って、撮影部６２は、例えば、そのときの撮影範囲の中央にある被写体にフォーカスを合わせ、半押しの状態から深押しされたことが検出されることに応じて撮影を行う。
【００３９】
バッファ６３は、カメラ用制御部６１が処理するデータを一時的に記憶する。
【００４０】
表示部６４は、例えば、LCD(Liquid Crystal Display)などよりなり、カメラ用制御部６１から供給されてきた画像データに基づいて画像を表示する。
【００４１】
このようなハードウェア構成を有する記録再生装置１においては、カメラモードが設定されているときの電力モードとして、省電力モードと、非省電力モード（通常モード）の２つのモードが用意されている。
【００４２】
省電力モードは、記録再生部２８が、ディスク２を回転数を、データを記録するときの回転数よりも低くなるように設定するとともに、ディスク２にデータを記録させる光学ヘッドのフォーカスを外した状態（フォーカス制御をしない状態）にするモードである。
【００４３】
また、非省電力モードは、記録再生部２８が、ディスク２の回転数を、データを記録するときの回転数に設定するとともに、光学ヘッドのフォーカスをロックし、データを記録することができる状態にするモードである。
【００４４】
省電力モードのときには、スピンドルモータの回転数が低くなり、また、フォーカスを外した状態になるため、非省電力モードのときと較べて電力の消費を抑えることができる。
【００４５】
このようなモードの切り替えは、ユーザが、記録再生装置１の筐体表面に設けられているシャッタボタンを操作することに応じて行われる。
【００４６】
例えば、ユーザがシャッタボタンを何も操作していないとき、省電力モードが設定され、ユーザがシャッタボタンを半押しし、オートフォーカス機能により被写体にフォーカスを合わせたとき、非省電力モードが設定される（省電力モードが解除される）。ユーザがシャッタボタンを半押しすることによって設定された非省電力モードは、半押しの状態からシャッタボタンが深押しされ、撮影により得られた画像データがディスク２に記録されたときに解除される。このとき、省電力モードが再度設定される。
【００４７】
すなわち、基本的には、ユーザがシャッタボタンを半押ししてから、画像データの記録が終わるまでの間は非省電力モードが設定され、それ以外のときには省電力モードが設定されることになる（実際には、後述するように、データの記録が終わってから所定の時間は非省電力モードの状態が保持される）。
【００４８】
ユーザがシャッタボタンを半押しし、被写体のフォーカスを合わせたとき、その直後には撮影が行われ、ディスク２に記録する画像データが得られると考えられることから、このように、画像データが得られる前に省電力モードが解除され、ディスク２にデータを記録することができる非省電力モードの状態となることにより、いわば、必要なときにだけ、ディスク２や、ディスク２にデータを記録させる機構が駆動することになり、これにより、電力の消費を抑えることができる。
【００４９】
また、撮影が行われ、ディスク２に記録させる画像データが実際に得られてから省電力モードが解除されるのではなく、シャッタボタンが半押しされたときに省電力モードが解除されるため、シャッタボタンが半押しされてから深押しされるまでの間に、データを記録するための準備（ディスク２の回転数を上げる、フォーカスをロックする等）をする時間を確保することができ、これにより、画像データが実際に得られてからデータを記録する準備を始める場合に較べて、画像データを記録するのにかかる時間を短縮することができる。また、撮影可能な時間間隔を短縮することができる。
【００５０】
次に、図２のフローチャートを参照して、記録再生装置１のディスク制御処理について説明する。
【００５１】
ステップＳ１において、ユーザによりカメラモードが設定されたとき、メイン制御部２１は、図示せぬ電源供給部を制御し、電源を供給させることによってカメラブロック１２を起動させる。
【００５２】
ステップＳ２において、メイン制御部２１は、記録再生部２８を制御し、ディスク２の種類を判別し、ディスク２に用意されたキャリブレーションエリアにデータの試し書きを行うことによってレーザの出力の調整などを行う。また、このとき、メイン制御部２１は、例えば、省電力モードを設定し、記録再生部２８を制御することによって、ディスク２の回転数を、記録時の回転数よりも低くするとともに、光学ヘッドのフォーカスを外した状態にする。
【００５３】
メイン制御部２１は、ステップＳ３において、操作部２２からの出力に基づいて、シャッタボタンが半押しされたか否かを判定し、半押しされていないと判定した場合、ステップＳ４に進む。
【００５４】
ステップＳ４において、メイン制御部２１は、いま、非省電力モードを設定している場合には、非省電力モードを設定してから、例えば、３０秒間などの所定の時間が経過したか否かを判定する。
【００５５】
メイン制御部２１は、ステップＳ４において、所定の時間が経過していないと判定した場合、ステップＳ３以降の処理を行い、所定の時間が経過したと判定した場合、ステップＳ５に進み、省電力モードを設定する。メイン制御部２１は、記録再生部２８を制御し、ディスク２の回転数を低くするとともに、フォーカスを外した状態にする。
【００５６】
ディスク２の回転数（速度）は、次のように設定される。
【００５７】
例えば、記録再生装置１で用いられているスピンドルモータのトルクが比較的低い場合、データを記録するときの線速度が基準線速度（１．２ｍ／ｓｅｃ）の４倍速であるとすると、省電力モード時のディスク２の回転の線速度は２倍速とされる。
【００５８】
また、記録再生装置１で用いられているスピンドルモータのトルクが比較的高い場合、データを記録するときの線速度が基準線速度の４倍速であるとすると、省電力モード時はディスク２の回転は停止した状態とされる。
【００５９】
さらに、記録再生装置１で用いられているスピンドルモータのトルクが、上記２つの場合の中間である場合（中程度のものである場合）、データを記録するときの線速度が基準線速度の４倍速であるとすると、省電力モード時のディスク２の回転の線速度は１倍速とされる。
【００６０】
このように、省電力モード時のディスク２の回転速度は、例えば、記録再生装置１で用いられるスピンドルモータのトルクに応じて、シャッタボタンが半押しされてから、撮影により得られた画像データの記録を開始するまでの間に、データを記録することができる状態に復帰することができる程度の速度に調整される。
【００６１】
一方、メイン制御部２１は、ステップＳ３において、操作部２２からの出力に基づいて、シャッタボタンが半押しされたと判定した場合、ステップＳ６に進む。
【００６２】
ステップＳ６において、メイン制御部２１は、いま、省電力モードを設定しているか否かを判定し、省電力モードを設定していると判定した場合、ステップＳ７に進み、省電力モードを解除して非省電力モードを設定する。
【００６３】
すなわち、シャッタボタンが半押しされたときには、その後に、ディスク２に記録する画像データが得られると考えられることから、メイン制御部２１は、記録再生部２８を制御し、ディスク２の回転数を、データを記録することが可能な回転数に設定するとともに、フォーカスをロックすることによって、ディスク２にデータを記録する準備を行う。なお、ステップＳ６において、既に、省電力モードを解除していると判定された場合、このステップＳ７の処理はスキップされる。
【００６４】
ステップＳ８において、メイン制御部２１は、操作部２２からの出力に基づいて、半押しの状態から、シャッタボタンが深押しされたとき、撮影と、画像データのディスク２への記録を行う。例えば、メイン制御部２１は、カメラ用制御部６１を制御することによって撮影を行わせ、撮影により得られた画像データがシリアルバス５１を介してカメラ用制御部６１から供給されてきたとき、記録再生部２８を制御して、それをディスク２に記録させる。
【００６５】
画像データの記録を終えたとき、メイン制御部２１は、記録再生部２８を制御して、光学ヘッドの位置を画像データの次の記録位置までシークさせた後、ステップＳ３に戻り、それ以降の処理を繰り返し行う。
【００６６】
以上の処理により、シャッタボタンが半押しされたタイミングで省電力モードが解除されることになり、電力の消費を抑えつつ、画像データを記録するのにかかる時間を短縮することができる。
【００６７】
なお、以上においては、省電力モードのときには、ディスク２の回転数を低くするとともに、光学ヘッドのフォーカスを外した状態とするものとしたが、フォーカスはロックしたまま、ディスク２の回転数だけを低くするようにしてもよいし、反対に、ディスク２の回転数はデータの記録時の回転数のまま、フォーカスだけを外すようにしてもよい。すなわち、データの記録時と較べて、電力の消費を抑えることができる状態であれば、どのような状態が省電力モードのときに設定されるようにしてもよい。
【００６８】
ここで、省電力モードのときのディスク２の状態を、STILL状態、SUSPEND状態、STOP状態とした場合の、ディスク２の回転、サーボ制御などに要する消費電力の実測値について説明する。
【００６９】
ここで、STILL状態とは、FOCUSサーボ、TRAKINGサーボをオンとし、ディスク２へのデータの書き込み、ディスク２からのデータの読み出しが可能な状態をいい、SUSPEND状態とは、FOCUSサーボ、TRAKINGサーボをオフとし、ディスク２を一定の周波数で回転させている状態をいう。また、STOP状態とは、ディスク２の回転を停止させている状態をいう。
【００７０】
図３は、ディスク２の状態をSTILL状態とした場合の消費電力の実測値を示す図である。FOCUSサーボ、TRAKINGサーボをオンとして、任意の周波数（データの記録が可能な周波数）で、省電力モードのときにもディスク２の回転を続けた場合、１分間あたりの積算電力（mWh/min）の値である積算電力値は１９．８mWh/minとなる。
【００７１】
図４は、ディスク２の状態をSUSPEND状態とした場合の消費電力の実測値を示す図である。FOCUSサーボ、TRAKINGサーボをオフとして、直前の書き込みを終えたときの周波数（前回の撮影により得られた画像データをディスク２に記録し終えたときの周波数）で省電力モードのときにもディスク２の回転を続けた場合、積算電力値は１４．４１mWh/minとなる。また、FOCUSサーボ、TRAKINGサーボをオフとして、回転周波数１５Hzで省電力モードのときにもディスク２の回転を続けた場合、積算電力値は１４．４４mWh/minとなる。
【００７２】
同様に、FOCUSサーボ、TRAKINGサーボをオフとして、回転周波数１０Hzで省電力モードのときにもディスク２の回転を続けた場合、積算電力値は１４．３７mWh/minとなり、FOCUSサーボ、TRAKINGサーボをオフとして、回転周波数５Hzで省電力モードのときにもディスク２の回転を続けた場合、積算電力値は１４．３１mWh/minとなる。
【００７３】
図５は、ディスク２の状態をSTOP状態とした場合の消費電力の実測値を示す図である。省電力モードのときにディスク２の回転を停止させた場合、積算電力値は１４．３１mWh/minとなる。
【００７４】
図６は、省電力モードのときのディスク２の状態をSTILL状態、SUSPEND状態、STOP状態として、それぞれの状態から、画像データを記録する領域（次ターゲット）にアクセスするためにかかる時間の実測値を示す図である。
【００７５】
図６に示すように、STILL状態において、任意の回転数でディスク２を回転させている状態から、次のターゲットにアクセスするのにかかる時間は０．１０秒である。
【００７６】
また、図６に示すように、SUSPEND状態において、直前の書き込みを終えたときの周波数でディスク２を回転させている状態から、次のターゲットにアクセスするのにかかる時間は０．６２秒であり、１５Hzでディスク２を回転させている状態から、次のターゲットにアクセスするのにかかる時間は１．３３秒である。同様に、SUSPEND状態において、１０Hzでディスク２を回転させている状態から、次のターゲットにアクセスするのにかかる時間は１．７５秒であり、５Hzでディスク２を回転させている状態から、次のターゲットにアクセスするのにかかる時間は２．１４秒である。
【００７７】
図６に示すように、STOP状態において、ディスク２の回転を停止させている状態から、次のターゲットにアクセスするのにかかる時間は２．７４秒である。
【００７８】
図３乃至図６に示す結果から、次のことがわかる。
（１）SUSPEND状態とSTOP状態とでは、積算電力値の差はほとんど無い。
（２）SUSPEND状態のとき、回転周波数が高い方が積算電力は大きくなるが、最大でも（１５Hzのときと５Hzのときでも）１分あたり０．１mWhほどの差しかない。
（３）STILL状態から次のターゲットにアクセスするのにかかる時間と、SUSPEND状態（SUSPEND状態のうちの、直前の書き込みを終えたときの周波数で回転させている状態）から次のターゲットにアクセスするのにかかる時間の差は０．５２秒である。
【００７９】
STILL状態のときの積算電力値と、SUSPEND状態のときの積算電力値との差が図６に示すように比較的大きいことと、以上のこと（特に、上記（３））を考えると、消費電力とアクセスにかかる時間のバランスの取れた、省電力モードのときの好ましいディスク２の制御方法は、SUSPEND状態で、しかも、直前の書き込みを終えたときの周波数で回転させる方法であることがわかる。
【００８０】
上述した一連の処理は、ハードウェアにより実行させることもできるが、ソフトウェアにより実行させることもできる。この場合、そのソフトウェアを実行させる装置は、例えば、図７に示されるようなパーソナルコンピュータにより構成される。
【００８１】
図７において、CPU１０１は、ROM１０２に記憶されているプログラム、または、記憶部１０８からRAM１０３にロードされたプログラムに従って各種の処理を実行する。RAM１０３にはまた、CPU１０１が各種の処理を実行する上において必要なデータなどが適宜記憶される。
【００８２】
CPU１０１、ROM１０２、およびRAM１０３は、バス１０４を介して相互に接続されている。このバス１０４にはまた、入出力インタフェース１０５も接続されている。
【００８３】
入出力インタフェース１０５には、キーボード、マウスなどよりなる入力部１０６、LCDなどよりなるディスプレイ、並びにスピーカなどよりなる出力部１０７、ハードディスクなどより構成される記憶部１０８、ネットワークを介しての通信処理を行う通信部１０９が接続されている。
【００８４】
入出力インタフェース１０５にはまた、必要に応じてドライブ１１０が接続される。ドライブ１１０には、磁気ディスク、光ディスク、光磁気ディスク、或いは半導体メモリなどよりなるリムーバブルメディア１１１が適宜挿入され、それから読み出されたコンピュータプログラムが必要に応じて記憶部１０８にインストールされる。
【００８５】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００８６】
この記録媒体は、図７に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア１１１により構成されるだけでなく、装置本体に予め組み込まれた状態でユーザに提供される、プログラムが記録されているROM１０２や、記憶部１０８に含まれるハードディスクなどで構成される。
【００８７】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【００８８】
【図１】本発明を適用した記録再生装置のハードウェア構成例を示すブロック図である。
【図２】記録再生装置のディスク制御処理について説明するフローチャートである。
【図３】ディスクの状態をSTILL状態とした場合の消費電力の実測値を示す図である。
【図４】ディスクの状態をSUSPEND状態とした場合の消費電力の実測値を示す図である。
【図５】ディスクの状態をSTOP状態とした場合の消費電力の実測値を示す図である。
【図６】ディスクへのアクセスにかかる時間の実測値を示す図である。
【図７】パーソナルコンピュータの構成例を示すブロック図である。
【符号の説明】
【００８９】
１  記録再生装置，  ２  ディスク，  １１  メインブロック，  １２  カメラブロック，  ２１  メイン制御部，  ２８  記録再生部
【図１】
2006157768.tif 000003
【図２】
2006157768.tif 000004
【図３】
2006157768.tif 000005
【図４】
2006157768.tif 000006
【図５】
2006157768.tif 000007
【図６】
2006157768.tif 000008
【図７】
2006157768.tif 000009